(57)【要約】【課題】  電動マッサージ器の入り切りのスイッチに触れることなく、人体患部にマッサージ器を当てている時だけ稼働するようにした。また振動発生源の振動を出来るだけ損なわないように患部まで届くようにした。【解決手段】  人体に当てる先端もみ玉４を有する該複数の振動伝達棒１が略等間隔で外向きになるように上端で固定され、前記複数の振動伝達棒１で作る空間内に振動発生装置Bをモータ側固定ジョイント２２、振動伝達棒１の先端もみ玉４近くの固定ジョイント３、連結材２とで固定して空間空中に保持させて人体近くで振動を発生出来るように先端もみ玉４を患部に当て、器具の上部に構成された筒型ケース（握持部）５を手で握って持ち下げて振動発生装置Bの電源が入り振動が発生し、持ち上げて電源が切れ装置は停止、器具の上げ下げを電動マッサージ器のON,OFFのスイッチと成るように構成されている。【選択図】  図３
2015213590.tif 000002
【特許請求の範囲】
【請求項１】
人体に当てる該複数の振動伝達体と弾性に富んだ複数の連結体で作る空間に、電動モータに偏芯回転体を備えた振動発生装置を、前記複数の振動伝達体と複数の連結体で、空中保持し、振動伝達体の上部は、電源を備えるケース内をバネと握持部で上下し、該ケース内に固定接片を設け、上下時それに合致するように、振動伝達体側に常時付勢された可動接片を設け、ケースの下降時、前記電動モータに通電され該ケースを押さえている時だけ振動が発生し、ケースを持ち上げれば固定接片と可動接片が離間し振動が止まりケースの上げ下げを前記振動発生装置のスイッチとし、空中位置で振動を発生させ、複数の振動伝達体を通して患部の広域をマッサージ出来、節電し、その繰り返しの出来るよう構成された事を特徴とする電動マッサージ器。
【請求項２】
電源を内蔵のケースを取り囲むように該複数の振動伝達体同士で固定され、振動伝達体側の固定接片とケース側の可動接片で、ケースと一体の握持部の上下動作で振動発生装置に通電するよう構成された事を特徴とする請求項１の電動マッサージ器。
【発明の詳細な説明】
【技術分野】
【０００１】
本発明は、手に持って患部に当接してマッサージを行い、マッサージ器を患部から離している時はマッサージ器が停止、マッサージ器の上げ下げをスイッチとするそれの繰り返しの出来る省エネタイプの電動マッサージ器に関する。
【背景技術】
【０００２】
従来の電動マッサージ器には、器具を身体に当接してからスイッチの入切で起動させマッサージする物や、電動マッサージ器のスイッチを入れて起動させてから患部に当接して治療を行う物が主流である。
【先行技術文献】
【特許文献】
【０００３】
【特許文献１】特開平７−５１３９公報
【特許文献２】実開昭６３−１３００３５公報
【発明の概要】
【発明が解決しようとする課題】
【０００４】
電動マッサージ器を人体患部に当接してからスイッチを入れてマッサージする物や、マッサージ器を起動しておいてから患部に当接して治療を行う物が主流であるが、治療の合間にも器具が作動している物もある。それの無駄を無くす為のスイッチの入切操作は手間でもある。電動マッサージ器の種類によっては、振動発生源をケースに入れ充分な振動が患部に届かない物もある。本発明は、それらを解決しょうというものである。
【課題を解決するための手段】
【０００５】
通常の電動マッサージ器は電源の入切を本体外装部又は、電気コード類途中位置に設けられたスイッチで行われているが、本発明は、マッサージ器上部のケース（握持部）５の上下動作をスイッチとして内蔵の電池６等の電源からマッサージ用の電動モータ１５に接片の非接触、接触の電気回路で通電しマッサージ使用時のみ稼働するので、無駄な電力消費が少ない。又、通常偏芯回転体使用のモータを本体ケースに閉じ込めると、振動が弱まりやすい。本発明は、複数の振動伝達体１と複数の連結体２で作る空間に、振動発生装置Bを設けて増幅した振動を連結体２、振動伝達体１を通し人体の患部に当接して電動マッサージが出来るので、上記の課題を解決する。
【発明の効果】
【０００６】
本発明は、電池や充電池のような電源を備えたケース（握持部）５を上下することを電動マッサージ器のスイッチとするので、前記ケース（握持部）５を下降させれば通電され、マッサージが出来、持ち上げればスイッチは切れ余分な電力は使わない省エネタイプである。スイッチが内蔵されているので手間が省ける。又、本発明は、当接の人体近くの空中で振動発生装置を起動させ、最大限に振動を発生させ、振動の衰退を最小限に抑えるようにした電動マッサージ器である。
【図面の簡単な説明】
【０００７】
【図１】本発明の実施例１の使用前の斜視図である。
【図２】本発明、実施例１の図１A-A断面正面図である。
【図３】本発明の実施例２の使用前の斜視図である。
【発明を実施するための形態】
【０００８】
本発明を以下図面に基づき説明する。実施例１の図１、図２に於いて、ここではケース（握持部）５の断面が正方形の筒状の中を、対角線上に４本の振動伝達体１が補強スライド１７・１８で固定され、上部には付勢された可動接片７・８がバネ受けベース１４にケース（握持部）５の内側上部の固定接片１１・１２と合致するように固定されている。ケース（握持部）５に装備の電池６電源に通電するように対称に取り付けてあるが、９０度回転方向にもう一組もうけると稼働時、接片に前後左右に負荷が架かっても通電の安定を得られる。上記振動伝達体１下部には連結体２とで作る空間に、振動発生装置Bを空中保持するためにやや弾力のある連結体２でそれぞれを固定する。振動発生装置Bに有る電動モータ１５からの電線１６は可動接片７・８にそれぞれ接続しケース（握持部）５を手に持って人体患部に、振動伝達体１を当接し下げれば固定接片、可動接片が接触し電動モータ１５が稼働してマッサージが出来、ケース（握持部）５を持って持ち上げれば内蔵の圧縮バネ１３とマッサージ器の重量で、固定接片と可動接片は離間し振動は止まりこのケース（握持部）５上げ下げ機構がマッサージ器のスイッチと成っていて余分な回転はしない省エネタイプであり、該前記４本の振動伝達体１と８本の連結体２、それぞれ本数は自在ではあるが、それで作る空間に振動発生装置Bを空中保持させ振動を増幅させ、振動伝達体１を通して人体患部に最大限振動を与えようとする電動マッサージ器である。
【０００９】
本発明の、実施例２の図３は４本の振動伝達体１を結合のその中を、スムーズに上下に移動できる側面が凸状のケース（握持部）５が上部に有りその中に電池電源が有りそのケース（握持部）５下部にそれに出入りできる振動伝達体側ケース２３がケース止め２４で固定してある。その中には圧縮バネ１３と固定接片１１・１２が有りケース（握持部）５の中には、可動接片７・８が有りケース（握持部）５を手で持って振動伝達体１を人体患部に当接し下降させると、振動伝達体１下部に設けた振動発生装置Bが稼働して電動マッサージが出来る。動作は実施例１と同じで効果が得られる。本発明は、前記実施例の他色々変形が考えられるがこれらはすべて本発明に含まれるものである。
【符号の説明】
【００１０】
B振動発生装置
１振動伝達体
２連結体
３固定部（外）
４先端カバー
５ケース（握持部）
６電池
７・８可動接片
９ケース上部
１０スプリング受け
１１・１２固定接片
１３圧縮バネ
１４バネ受けベース
１５電動モータ
１６電線
１７・１８補強スライド
２０モータカバー
２１偏芯回転体
２２固定部（内）
２３振動伝達体側ケース
２４ケース止め
２５電源ケースカバー
２７ストッパー
【図１】
2015213590.tif 000003
【図２】
2015213590.tif 000004
【図３】
2015213590.tif 000005
【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
人体に当てる先端もみ玉４を有する該複数の振動伝達棒１が、それぞれ略等間隔で外向きになるように広げた前記複数の振動伝達棒１の上端を補強スライド１７、１８やバネ受けベース１４で固定しその下に複数の振動伝達棒１で作る空間に、電動モータ１５に偏芯回転子２１を備えた振動発生装置Bを弾性の有る複数の連結材２でモータ側の複数の固定ジョイント２２と前記振動伝達棒側の固定ジョイント３で該電動マッサージ器使用時に振動発生装置Bが人体に触れる事の無く先端もみ玉４に近い位置に振動伝達棒１それぞれに固定し、前記空間空中に振動発生装置Bを保持させ、モータ１５からの２本のリード線１６は前記バネ受けベース１４上に圧縮バネ１３が設けてありその両端に略対称の位置にある可動側バネ式接点７、８のそれぞれと結線し、そのバネ式接点は電源内蔵の筒型ケース（握持部）５内の電気絶縁の内壁に常に付勢されていて、固定側とする筒型ケース（握持部）５手で握って、補強スライド１７，１８が有る前記複数の振動伝達棒１側を移動側として先端もみ玉４を人体に当て、筒型ケース（握持部）５内にある筒型ケース上蓋９のスプリング受け１０と前記バネ受けベース１４で圧縮バネ１３が設けてあり、その推力を補強スライド１８の下端と筒型ケース（握持部）５の内壁に有るストッパー２７で受け止め少し効かせて有り残りの圧縮バネ１３の伸縮分、筒型ケース（握持部）５内を上下し、固定側とする筒型ケース（握持部）５内を移動側とする該複数の振動伝達棒１で作る空間に振動発生装置Bを複数の連結材２で空中保持し、複数の振動伝達棒１の先端もみ玉４を人体に当て筒型ケース（握持部）５を手で握って圧縮バネ１３の伸縮分押し下げれば、前記バネ受けベース１４上の可動側接点７，８が、電源６にそれぞれ結線してある筒型ケース（握持部）５内壁上部に固着してある銅板等の固定側板状接点１１，１２に、前記圧縮バネ１３の伸縮分絶縁側から通電側に接点がスライドして通電し振動発生装置Bが作動して人体をマッサージし、筒型ケース（握持部）５を手で持ち上げ、人体から離せば前記圧縮バネ１３の推力で振動伝達棒１側は下降しそれぞれの接点は離間して振動は停止し、該筒型ケース（握持部）５の持ち下げ、持ち上げ動作を可動側接点７，８と固定側板状接点１１，１２の接触、非接触を前記振動発生装置Bの電気の入り切りのスイッチとし、複数の振動伝達棒１で作る空間空中位置で振動を発生させ、複数の振動伝達棒１の先端もみ玉４の位置が略等間隔に外に広がっているので人体患部の広域をマッサージ出来、筒型ケース（握持部）５を持ち下げて先端もみ玉４を人体に当てている時だけしか振動発生装置Bが作動せず持ち上げれば停止し、その繰り返しが出来、節電が出来るよう構成された事を特徴とする電動マッサージ器。
【請求項２】
移動側とする筒型ケース（握持部）５内上部に、電池や充電池等の電源を内蔵の筒型ケース５内を、固定側とする振動伝達棒側ケース２３の上部ベース中央に圧縮バネ１３が設けてあり、両端にほぼ対称にバネ式接点７，８があり振動発生装置Bからのリード線がそれぞれ結線してあり、前記振動伝達棒側ケース２３を覆う筒型ケース（握持部）５の絶縁の内壁に板状接点１１，１２が、前記筒型ケース（握持部）５の持ち下げ、持ち上げ動作の時に、前記バネ式接点７，８に合致するよう固着され、それぞれ筒型ケース（握持部）５内上部内蔵の電池や充電池等の電源に結線してあり、この筒型ケース（握持部）５を囲むように外周に複数の振動伝達棒１同士と前記振動伝達棒側ケース２３下部をケース止め２４で固定され、筒型ケース（握持部）５が圧縮バネ１３の伸縮分上下し外装が少し膨らんで握りやすい筒型ケース（握持部）５手で持ち下げて通電し振動発生装置Bを駆動させ、持ち上げれば停止するよう構成された事を特徴とする請求項１の電動マッサージ器。
【手続補正２】
【補正対象書類名】明細書
【補正対象項目名】全文
【補正方法】変更
【補正の内容】
【発明の詳細な説明】
【技術分野】
【０００１】
本発明は、手に持って人体患部に当接してマッサージを行い、マッサージ器を患部から離している時はマッサージ器が停止、マッサージ器を人体患部に対し持ち下げてスイッチON、持ち上げてOFF、器具の上げ下げをスイッチとするそれの繰り返しの出来る省エネタイプの電動マッサージ器に関する。
【背景技術】
【０００２】
従来の電動マッサージ器には、器具を身体に当接してからスイッチの入切で起動させマッサージする物や、電動マッサージ器のスイッチを入れて起動させてから患部に当接して治療を行う物が主流である。
【先行技術文献】
【特許文献】
【０００３】
【特許文献１】特開２００４−３５８０８８公報
【特許文献２】実公平３−１０７５７公報
【発明の概要】
【発明が解決しようとする課題】
【０００４】
電動マッサージ器を人体患部に当接してからスイッチを入れてマッサージする物や、マッサージ器を起動しておいてから患部に当接して治療を行う物が主流であるが、治療の合間にも器具が作動している物もある。それの電気の無駄を無くす為のON、OFFスイッチの入切操作は手間でもある。電動マッサージ器の種類によっては、振動発生源を本体ケースに入れ充分な振動が患部に届かない物もある。本発明は、それらを解決しょうというものである。
【課題を解決するための手段】
【０００５】
通常の電動マッサージ器は電源の入切を本体外装部又は、電気コード類途中位置に設けられたスイッチで行われているが、本発明は、該マッサージ器上部の筒型ケース（握持部）５を手で握って持ち下げ、持ち上げ動作を電動マッサージ器の電気の入り切りのON、OFFのスイッチとして前記筒型ケース（握持部）５に内蔵の電池６や充電池等の電源からマッサージ用の電動モータ１５に筒型ケース（握持部）５内で接点の非接触、接触の電気回路で通電しマッサージ使用時のみ稼働するので、無駄な電力消費が少ない。通常偏芯回転子２１使用のモータを本体ケースに閉じ込めると、振動が弱まりやすい。本発明は、該人体に当てる先端もみ玉４を有する複数の振動伝達棒１が、それぞれ略等間隔で外向きになるように曲げた前記複数の振動伝達棒１の上端を補強スライド１７，１８やバネ受けベース１４で固定してその下部に出来る空間に、振動発生装置Bを複数の振動伝達棒１に複数の連結材２で空間、空中に設けて増幅した振動を連結材２、振動伝達棒１の先端もみ玉４を通し人体の患部に当接して一度に広域を電動マッサージが出来るので、上記の課題を解決する。
【発明の効果】
【０００６】
本発明は、電池６や充電池等の電源を備えた筒型ケース（握持部）５を手で握って持ち下げ持ち上げすることを、電動マッサージ器の振動発生装置Bの電源の入り切りのスイッチとするので、前記筒型ケース（握持部）５内に有る複数の振動伝達棒１の先端もみ玉４を人体に当て筒型ケース（握持部）５を手で握って押し下げれば内蔵の二組の接点は接触し通電され、複数の先端もみ玉４で一度に広域をマッサージが出来、持ち上げれば圧縮バネ１３の反発力で接点は離間しスイッチは切れマッサージ器の振動発生装置Bは停止し余分な電力は使わない省エネタイプである。スイッチが内蔵されているので手間が省ける。本発明は、当接の人体近くの空中で振動発生装置Bを起動させ、最大限に振動を発生させ、振動の衰退を最小限に抑えるようにした電動マッサージ器である。
【図面の簡単な説明】
【０００７】
【図１】本発明の実施例１の使用前の斜視図である。
【図２】本発明、実施例１の図１A-A断面正面図である。
【図３】本発明の実施例２の使用前の斜視図である。
【発明を実施するための形態】
【０００８】
本発明を以下図面に基づき説明する。実施例１の図１、図２に於いて、断面の色々の形状が考えられるが、ここでは筒型ケース（握持部）５の断面が正方形の筒状の中を、対角線上に人体に当てる先端もみ玉４を有する４本の振動伝達棒１が略等間隔で外向きになるように広げた状態で前記振動伝達棒１の上端を補強スライド１７・１８やバネ受けベース１４で固定しその下に４本の振動伝達棒１で作る空間に、電動モータ１５に偏芯回転子２１を備えた振動発生装置Bを少し弾性のある、弾性が強すぎても振動が伝わりにくくなり、ここでは８本の連結材２でモータ側固定ジョイント２２と前記振動伝達棒側固定ジョイント３で該電動マッサージ器使用時に振動発生装置Bが人体に触れる事の無く先端もみ玉４に近い位置に振動伝達棒１それぞれに固定し、前記空間空中に振動発生装置Bを保持させ、モータ１５からの２本のリード線１６は前記バネ受けベース１４上に圧縮バネ１３が設けてありその両端に略対称の位置にある可動側バネ式接点７、８のそれぞれと結線し、そのバネ式接点は電源内蔵の筒型ケース（握持部）５内の電気絶縁の内壁に常に付勢されていて、固定側とする筒型ケース（握持部）５手で握って、補強スライド１７，１８が有る前記複数の振動伝達棒１側を移動側として先端もみ玉４を人体に当て、筒型ケース（握持部）５内上部にあるスプリング受け１０と前記バネ受けベース１４で圧縮バネ１３が設けてあり、その推力を補強スライド１８の下端と筒型ケース（握持部）５の内壁に有るストッパー２７で受け止め効かせて有り圧縮バネ１３の伸縮分、筒型ケース（握持部）５内を上下し、固定側とする筒型ケース（握持部）５内を移動側とする該4本の振動伝達棒１で作る空間に振動発生装置Bを8本の連結材２で空中保持し、4本の振動伝達棒１の先端もみ玉４を人体に当て筒型ケース（握持部）５を手で握って押し下げれば、前記バネ受けベース１４上の可動側接点７，８が、電源６にそれぞれ結線してある筒型ケース（握持部）５内壁上部に固着してある銅板等の固定側板状接点１１，１２に、前記圧縮バネ１３の伸縮分絶縁側から通電側に接点がスライドして通電し振動発生装置Bが作動して人体をマッサージし、筒型ケース（握持部）５を手で持ち上げ、人体から離せば前記圧縮バネ１３の推力で振動伝達棒１側は下降しそれぞれの接点は離間して振動は停止し、該筒型ケース（握持部）５の持ち下げ、持ち上げ動作を可動側接点７，８と固定側板状接点１１，１２の接触、非接触を前記振動発生装置Bの電気のON、OFF、入り切りのスイッチとし、4本の振動伝達棒１で作る空間空中位置で振動を発生させ、4本の振動伝達棒１の先端もみ玉４の位置が略等間隔に広がっているので人体患部の広域をマッサージ出来、筒型ケース（握持部）５を持ち下げて先端もみ玉４を人体に当てている時だけしか振動発生装置Bが作動せず持ち上げれば停止し、その繰り返しが出来、節電が出来該前記４本の振動伝達棒１と8本の連結材２、それぞれ本数は自在ではあるが、それで作る空間に振動発生装置Bを空中保持させ振動を増幅させ、振動伝達棒１の先端もみ玉４を通して人体患部に最大限振動を与えようと構成された事を特徴とする電動マッサージ器である。
【０００９】
本発明の、実施例２の図3は  移動側とする筒型ケース（握持部）５内上部に、電池や充電池等の電源を内蔵の筒型ケース５内を、固定側とする振動伝達棒側ケース２３の上部ベース中央に圧縮バネ１３が設けてあり、両端にほぼ対称にバネ式接点７，８があり振動発生装置Bからのリード線がそれぞれ結線してあり、前記振動伝達棒側ケース２３を覆う筒型ケース（握持部）５の絶縁の内壁に板状接点１１，１２が、前記筒型ケース（握持部）５の持ち下げ、持ち上げ動作の時に、前記バネ式接点７，８に合致するよう固着され、それぞれ筒型ケース（握持部）５内上部内蔵の電池や充電池等の電源に結線してあり、この筒型ケース（握持部）５を囲むように外周に4本の振動伝達棒１同士と前記振動伝達棒側ケース２３下部をケース止め２４で固定され、筒型ケース（握持部）５が圧縮バネ１３の伸縮分上下し外装が少し膨らんで握りやすい筒型ケース（握持部）５手で持ち下げれば、先端もみ玉４が人体患部に当たっているので通電し振動発生装置Bを駆動させ、持ち上げれば停止、動作がON，ＯＦＦのスイッチとなるよう構成されて実施例1と同じ効果が得られる。本発明は、前記実施例の他色々変形が考えられるがこれらはすべて本発明に含まれるものである。
【符号の説明】
【００１０】
B振動発生装置                            
１振動伝達棒
２連結材
３固定ジョイント
４先端もみ玉
５筒型ケース（握持部）
６電池
７・８可動側接点
９ケース上蓋
１０スプリング受け
１１・１２固定側板状接点
１３圧縮バネ
１４バネ受けベース
１５電動モータ
１６リード線
１７・１８補強スライド
２０モータカバー
２１偏芯回転子
２２固定ジョイント
２３振動伝達棒側ケース
２４ケース止め
２５電源ケースカバー
２７ストッパー